(57)【要約】【課題】二重のエアカーテン気流による一方領域と他方領域との熱的な分割状態（熱遮断効果）を十分に得ることが可能なエアカーテン装置を提供する。【解決手段】この冷蔵倉庫１００に設置されるエアカーテン装置は、隣接配置された左室１１と右室１２とを隔てる間仕切り壁１３の一部に設けられるとともに左室１１と右室１２とを接続する開口１４に対して、開口１４の左室１１側に気流Ｐ１を発生させる左室送風部２０と、開口１４の右室１２側に気流Ｐ２を発生させる右室送風部４０と、左室１１または右室１２の少なくとも一方の空気が、間仕切り壁１３と気流Ｐ１の隙間Ｓ１、または、間仕切り壁１３と気流Ｐ２との隙間Ｓ２の少なくとも一方に侵入するのを抑制する遮風部材２５および４５とを備える。【選択図】図３
2017215110.tif 000002
【特許請求の範囲】
【請求項１】
隣接配置された第１領域と第２領域とを隔てる間仕切り壁の一部に設けられるとともに前記第１領域と前記第２領域とを接続する開口に対して、前記開口の前記第１領域側に第１エアカーテン気流を発生させる第１送風部と、
前記開口の前記第２領域側に第２エアカーテン気流を発生させる第２送風部と、
前記第１領域または前記第２領域の少なくとも一方の空気が、前記間仕切り壁と、前記第１エアカーテン気流または前記第２エアカーテン気流の少なくとも一方との隙間に侵入するのを抑制する遮風部材と、を備える、エアカーテン装置。
【請求項２】
前記第１送風部および前記第２送風部は、前記間仕切り壁における前記開口の上縁部に沿った一方側端部から他方側端部に亘って延びるように設置されており、
前記遮風部材は、前記第１送風部または前記第２送風部の少なくとも一方の前記開口の一方側端部近傍および他方側端部近傍の各々に対応した位置から、前記第１エアカーテン気流または前記第２エアカーテン気流の少なくとも一方に向かって延びるとともに、下方に向かって延びている、請求項１に記載のエアカーテン装置。
【請求項３】
前記遮風部材は、前記第１送風部の第１エアカーテン気流を吹き出す吹出口の端部よりも内側の下方、または、前記第２送風部の第２エアカーテン気流を吹き出す吹出口の端部よりも内側の下方の少なくとも一方に配置された上端部をそれぞれ含む、請求項２に記載のエアカーテン装置。
【請求項４】
前記遮風部材は、前記上端部から前記開口の側方に向かって斜め下方に傾斜して延びる傾斜部分と、前記傾斜部分の下端部から下方に向かって延びる側方部分とを含み、
前記第１エアカーテン気流および前記第２エアカーテン気流の少なくとも一方の一部の気流が、前記傾斜部分および前記側方部分の外側面を伝って流下されるように構成されている、請求項３に記載のエアカーテン装置。
【請求項５】
前記開口は、開閉扉により開閉可能に構成されており、
前記遮風部材は、遮風部分が上方に巻き上げ可能でかつ下方に引き出し可能に構成されており、
前記遮風部材は、前記開閉扉により前記開口が閉じられたことに基づいて前記遮風部分が上方に巻き上げられるとともに、前記開閉扉により前記開口が開かれたことに基づいて前記遮風部分が下方に引き出されるように構成されている、請求項１〜４のいずれか１項に記載のエアカーテン装置。
【請求項６】
前記開口への作業者の接近状態を検出する接近状態検出部をさらに備え、
前記接近状態検出部の検出結果に基づいて、前記作業者が前記開口を通過する前に、前記第１送風部および前記第２送風部が運転されるとともに前記遮風部材の遮風部分が下方に引き出されるように構成されている、請求項５に記載のエアカーテン装置。
【請求項７】
前記第１送風部または前記第２送風部の少なくとも一方の異常を検出する異常状態検出部と、
前記開閉扉により開かれた状態の前記開口を遮断可能に構成された異常時開口遮断部材と、をさらに備え、
前記遮風部材は、遮風部分が上方に巻き上げ可能でかつ下方に引き出し可能に構成されており、
前記異常状態検出部により前記第１送風部または前記第２送風部の少なくとも一方の異常が検出された場合に、前記異常時開口遮断部材により前記開口が遮断されるとともに、前記遮風部材の遮風部分が下方に引き出されるように構成されている、請求項１〜６のいずれか１項に記載のエアカーテン装置。
【請求項８】
請求項１〜請求項７のいずれか１項に記載のエアカーテン装置を備える、冷蔵倉庫。
【発明の詳細な説明】
【技術分野】
【０００１】
この発明は、エアカーテン装置および冷蔵倉庫に関し、特に、第１送風部と第２送風部とを備えたエアカーテン装置およびこのエアカーテン装置が設けられた冷蔵倉庫に関する。
【背景技術】
【０００２】
従来、第１領域と第２領域とを接続する開口に対して二重のエアカーテン気流を発生させて熱遮断効果を得るような構成が知られている（たとえば、特許文献１参照）。
【０００３】
上記特許文献１には、壁部の一部に出入口（開口）が設けられた冷蔵倉庫において、出入口の上縁部に対応した庫内側の壁面および庫外側の壁面にそれぞれエアカーテン装置（第１送風部および第２送風部）が設置された冷蔵倉庫用外気遮断装置が開示されている。この特許文献１に記載の冷蔵倉庫用外気遮断装置では、庫内側のエアカーテン装置からの吹出空気（エアカーテン気流）と庫外側のエアカーテン装置からの吹出空気（エアカーテン気流）とが出入口空間を内外から挟み込むように構成されている。これにより、出入口空間から冷蔵倉庫外への庫内冷気の流出、および、冷蔵倉庫外の空気（暖気）の冷蔵倉庫内への流入が、二重のエアカーテン気流の動圧によって遮断されることにより、出入口空間における庫内側と庫外側との熱的な分割状態（熱遮断効果）が図られている。
【先行技術文献】
【特許文献】
【０００４】
【特許文献１】実開昭６２−６９７８１号公報
【発明の概要】
【発明が解決しようとする課題】
【０００５】
しかしながら、上記特許文献１に記載された冷蔵倉庫用外気遮断装置では、出入口の上縁部から下方に吹き出されたエアカーテン気流に起因して、冷蔵倉庫外の暖気が二重のエアカーテン気流の内側の領域（出入口における空気の淀んだ領域）に巻き込まれやすくなると考えられる。そして、二重のエアカーテン気流の内側の領域に暖気が流入する分、出入口の側方の壁面とエアカーテン気流との隙間部分から冷蔵倉庫外の暖気が冷蔵倉庫内に流入したり、さらには、この隙間部分を介して冷蔵倉庫内の冷気が冷蔵倉庫外に流出したりする。このため、二重のエアカーテン気流による庫内側と庫外側とを熱的に分割する状態（熱遮断効果）が十分に得られないという問題点がある。
【０００６】
この発明は、上記のような課題を解決するためになされたものであり、この発明の１つの目的は、二重のエアカーテン気流による一方領域と他方領域との熱的な分割状態（熱遮断効果）を十分に得ることが可能なエアカーテン装置および冷蔵倉庫を提供することである。
【課題を解決するための手段】
【０００７】
上記目的を達成するために、この発明の第１の局面によるエアカーテン装置は、隣接配置された第１領域と第２領域とを隔てる間仕切り壁の一部に設けられるとともに第１領域と第２領域とを接続する開口に対して、開口の第１領域側に第１エアカーテン気流を発生させる第１送風部と、開口の第２領域側に第２エアカーテン気流を発生させる第２送風部と、第１領域または第２領域の少なくとも一方の空気が、間仕切り壁と、第１エアカーテン気流または第２エアカーテン気流の少なくとも一方との隙間に侵入するのを抑制する遮風部材と、を備える。
【０００８】
この発明の第１の局面によるエアカーテン装置は、上記のように、第１領域または第２領域の少なくとも一方の空気が、間仕切り壁と、第１エアカーテン気流または第２エアカーテン気流の少なくとも一方との隙間に侵入するのを抑制する遮風部材を備える。これにより、隣接配置された第１領域と第２領域とを隔てる間仕切り壁の一部が開放された開口を第１エアカーテン気流と第２エアカーテン気流との二重のエアカーテン気流を形成して熱的に分割（熱遮断）する場合においても、遮風部材により、間仕切り壁と、第１エアカーテン気流または第２エアカーテン気流の少なくとも一方との間に、第１領域または第２領域の空気が侵入するような隙間が形成されるのを防止することができる。すなわち、遮風部材を設けない場合に生じる上記の隙間を介して、第１領域または第２領域の空気が二重のエアカーテン気流の内側の領域（開口における空気の淀んだ領域）に侵入するのを抑制することができる。この結果、二重のエアカーテン気流による一方領域（第１領域）と他方領域（第２領域）との熱的な分割状態（熱遮断効果）を十分に得ることができる。
【０００９】
上記第１の局面によるエアカーテン装置において、好ましくは、第１送風部および第２送風部は、間仕切り壁における開口の上縁部に沿った一方側端部から他方側端部に亘って延びるように設置されており、遮風部材は、第１送風部または第２送風部の少なくとも一方の開口の一方側端部近傍および他方側端部近傍の各々に対応した位置から、第１エアカーテン気流または第２エアカーテン気流の少なくとも一方に向かって延びるとともに、下方に向かって延びている。このように構成すれば、開口の一方側端部近傍および他方側端部近傍の各々に対応した位置における第１送風部または第２送風部の少なくとも一方の近傍を起点として下方に延びる遮風部材を配置することができる。これにより、第１送風部または第２送風部の少なくとも一方の近傍において、第１領域または第２領域の上部領域に滞留する他の部分と異なる温度を有する空気が侵入するような隙間が形成されるのを確実に防止することができる。
【００１０】
上記遮風部材が第１送風部または第２送風部の少なくとも一方の開口の一方側端部近傍および他方側端部近傍の各々に対応した位置から下方に向かって延びる構成において、好ましくは、遮風部材は、第１送風部の第１エアカーテン気流を吹き出す吹出口の端部よりも内側の下方、または、第２送風部の第２エアカーテン気流を吹き出す吹出口の端部よりも内側の下方の少なくとも一方に配置された上端部をそれぞれ含む。このように構成すれば、第１エアカーテン気流および第２エアカーテン気流の一部を、遮風部材を隔てて二重のエアカーテン気流の内側の領域とは反対の外側の領域にも導くことができる。したがって、二重のエアカーテン気流の内側の領域を、第１エアカーテン気流および第２エアカーテン気流によって包囲することができるので、遮風部材のサイズを小型化することができる。
【００１１】
この場合、好ましくは、遮風部材は、上端部から開口の側方に向かって斜め下方に傾斜して延びる傾斜部分と、傾斜部分の下端部から下方に向かって延びる側方部分とを含み、第１エアカーテン気流および第２エアカーテン気流の少なくとも一方の一部の気流が、傾斜部分および側方部分の外側面を伝って流下されるように構成されている。このように構成すれば、第１エアカーテン気流および第２エアカーテン気流の一部を、傾斜部分および側方部分の外側面に沿わせて第１領域または第２領域の少なくとも一方の床面近傍まで導くことができる。したがって、二重のエアカーテン気流の内側の領域を、第１エアカーテン気流および第２エアカーテン気流によって、より確実に包囲することができる。
【００１２】
上記第１の局面によるエアカーテン装置において、好ましくは、開口は、開閉扉により開閉可能に構成されており、遮風部材は、遮風部分が上方に巻き上げ可能でかつ下方に引き出し可能に構成されており、遮風部材は、開閉扉により開口が閉じられたことに基づいて遮風部分が上方に巻き上げられるとともに、開閉扉により開口が開かれたことに基づいて遮風部分が下方に引き出されるように構成されている。このように構成すれば、開口に第１エアカーテン気流と第２エアカーテン気流との二重のエアカーテン気流を発生させるのは開閉扉により開口が開かれた場合のみであるので、このような場合において、遮風部材の下方に引き出された遮風部分により、一時的に発生させる二重のエアカーテン気流の熱遮断効果を効果的に得ることができる。また、開口が開閉扉により閉じられている場合（二重のエアカーテン気流が必要ない場合）には遮風部分が上方に巻き上げられている分、遮風部材の省スペース化（小型化）を容易に図ることができる。
【００１３】
この場合、好ましくは、開口への作業者の接近状態を検出する接近状態検出部をさらに備え、接近状態検出部の検出結果に基づいて、作業者が開口を通過する前に、第１送風部および第２送風部が運転されるとともに遮風部材の遮風部分が下方に引き出されるように構成されている。このように構成すれば、作業者の通過の必要性に伴って開閉扉により開口が開かれるタイミングに先だって、熱遮断効果を得るための二重のエアカーテン気流を迅速かつ適切に形成することができる。したがって、開口が開かれて作業者（移動車両に搭乗した作業者を含む）が開口を通過する時点においても、開口の開閉に伴う外乱要素の影響を受けることなく、二重のエアカーテン気流による一方領域（第１領域）と他方領域（第２領域）との熱的な分割状態（熱遮断効果）を確実に得ることができる。
【００１４】
上記第１の局面によるエアカーテン装置において、好ましくは、第１送風部または第２送風部の少なくとも一方の異常を検出する異常状態検出部と、開閉扉により開かれた状態の開口を遮断可能に構成された異常時開口遮断部材と、をさらに備え、遮風部材は、遮風部分が上方に巻き上げ可能でかつ下方に引き出し可能に構成されており、異常状態検出部により第１送風部または第２送風部の少なくとも一方の異常が検出された場合に、異常時開口遮断部材により開口が遮断されるとともに、遮風部材の遮風部分が下方に引き出されるように構成されている。このように構成すれば、第１送風部または第２送風部の少なくとも一方に異常が発生して開口の部分に二重のエアカーテン気流を形成することが不可能な場合であっても、開閉扉の代替部材となる異常時開口遮断部材を利用して開口を遮断し、かつ、遮風部材の下方に引き出された遮風部分によって開口まわりを取り囲むことができる。この結果、一方領域（第１領域）と他方領域（第２領域）との熱的な分割（熱遮断）状態を確実に維持することができる。
【００１５】
この発明の第２の局面による冷蔵倉庫は、第１の局面におけるエアカーテン装置を備える。
【００１６】
この発明の第２の局面による冷蔵倉庫では、上記のように、上記第１の局面によるエアカーテン装置を備えているので、第１送風部からの第１エアカーテン気流と第２送風部からの第２エアカーテン気流とによる二重のエアカーテン気流により一方領域（第１領域）と他方領域（第２領域）との熱的な分割状態（熱遮断効果）が十分に得られる冷蔵倉庫を提供することができる。
【発明の効果】
【００１７】
本発明によれば、上記のように、二重のエアカーテン気流による一方領域と他方領域との熱遮断効果を十分に得ることが可能なエアカーテン装置および冷蔵倉庫を提供することができる。
【図面の簡単な説明】
【００１８】
【図１】本発明の第１実施形態によるエアカーテン装置が設置された冷蔵倉庫の構成を示した断面図である。
【図２】本発明の第１実施形態における冷蔵倉庫の温度維持を行うための制御ブロック図である。
【図３】本発明の第１実施形態による冷蔵倉庫に設置されるエアカーテン装置の構成を示した斜視図である。
【図４】本発明の第１実施形態によるエアカーテン装置に対する比較例としてのエアカーテン装置の構成を示した斜視図である。
【図５】本発明の第２実施形態による冷蔵倉庫に設置されるエアカーテン装置の構成を示した斜視図である。
【図６】本発明の第３実施形態における冷蔵倉庫の温度維持を行うための制御ブロック図である。
【図７】本発明の第３実施形態による冷蔵倉庫に設置されるエアカーテン装置の構成（遮風部材における遮風部分が巻き上げられた状態）を示した斜視図である。
【図８】本発明の第３実施形態による冷蔵倉庫に設置されるエアカーテン装置の構成（遮風部材における遮風部分が引き出された状態）を示した斜視図である。
【図９】本発明の第４実施形態における冷蔵倉庫の温度維持を行うための制御ブロック図である。
【図１０】本発明の第４実施形態による冷蔵倉庫に設置されるエアカーテン装置の構成（異常発生時の動作状態）を示した斜視図である。
【発明を実施するための形態】
【００１９】
以下、本発明を具体化した実施形態を図面に基づいて説明する。
【００２０】
［第１実施形態］
まず、図１〜図４を参照して、本発明の第１実施形態による冷蔵倉庫１００について説明する。なお、図１において、左室１１および右室１２の配置方向をＸ軸方向（左右方向）とし、水平面内でＸ軸方向に直交する方向をＹ軸方向とし、上下方向をＺ軸方向とする。なお、左室１１および右室１２は、それぞれ、特許請求の範囲の「第１領域」および「第２領域」の一例である。
【００２１】
（冷蔵倉庫の概略構成）
第１実施形態による冷蔵倉庫１００は、図１に示すように、冷蔵室１０を備える。冷蔵室１０は、左室１１と右室１２とが間仕切り壁１３を境にして互いにＸ軸方向に隣接配置されている。間仕切り壁１３の壁面１３ａが左室１１に面するとともに、壁面１３ｂが右室１２に面している。左室１１は、室内温度が温度Ｔ１の条件下で保管可能な物品１が貯蔵されている。また、右室１２は、室内温度が温度Ｔ２の条件下で保管可能な物品２が貯蔵されている。ここで、温度Ｔ２は温度Ｔ１よりも低く保たれている。また、間仕切り壁１３には、作業者（図示せず）の往来が可能な縦長かつ矩形形状の開口１４が設けられている。図１では、開口１４の部分でのＸ軸方向に沿った冷蔵室１０の断面を示している。
【００２２】
左室１１には、左室送風部２０と左室冷却部３０とが設置され、右室１２には、右室送風部４０と右室冷却部５０とが設置されている。ここで、左室冷却部３０は、左室１１を冷却して温度Ｔ１に保つ機能を有し、右室冷却部５０は、右室１２を冷却して温度Ｔ２に保つ機能を有する。また、左室送風部２０は、開口１４の上縁部１５（Ｚ１側）に対応する壁面１３ａの部分に水平（Ｙ軸方向）に設置され、右室送風部４０は、開口１４の上縁部１５（Ｚ１側）に対応する壁面１３ｂの部分に水平に設置されている。また、左室送風部２０および右室送風部４０は、開口１４の上縁部１５に沿って細長状に延びている。そして、左室送風部２０および右室送風部４０は、温度Ｔ１を有する左室１１から開口１４を介して温度Ｔ２を有する右室１２への空気の熱移動を遮断する役割を有している。なお、左室送風部２０および右室送風部４０は、それぞれ、特許請求の範囲の「第１送風部」および「第２送風部」の一例である。
【００２３】
また、図２に示すように、冷蔵倉庫１００は、冷蔵室１０内の温度維持を行うコントローラ機器７０を有する。コントローラ機器７０は、統括制御部７１と、エアカーテン装置制御部７２と、冷却制御部７３とを含む。エアカーテン装置制御部７２は、左室送風部２０および右室送風部４０の運転制御を担い、冷却制御部７３は、左室冷却部３０および右室冷却部５０の運転制御を担う。また、左室１１には、温度Ｔ１を検出する温度センサ８１が設置され、右室１２には、温度Ｔ２を検出する温度センサ８２が設置されており、各々は統括制御部７１に電気的に接続されている。また、統括制御部７１の指令に基づき左室送風部２０および右室送風部４０の制御と左室冷却部３０および右室冷却部５０の制御とが行われることにより、冷気の循環流Ｇ１およびＧ２（図１参照）が左室１１および右室１２に各々形成される。
【００２４】
（エアカーテン装置の構造）
左室送風部２０および右室送風部４０は、図１に示すように、間仕切り壁１３を境として互いに背中合わせの状態で配置されている。そして、左室送風部２０は、左室１１の床面１１ａまで斜め下方向に吹き下ろす気流Ｐ１（破線で示す）を形成するとともに、右室送風部４０は、右室１２の床面１２ａまで斜め下方向に吹き下ろす気流Ｐ２（破線で示す）を形成する。なお、気流Ｐ１およびＰ２は、それぞれ、特許請求の範囲の「第１エアカーテン気流」および「第２エアカーテン気流」の一例である。
【００２５】
この場合、気流Ｐ１は、間仕切り壁１３の延びるＺ軸方向に対して風向角度αを有して壁面１３ａからしだいに離間する斜め下方向に吹き下ろされる。また、気流Ｐ２は、Ｚ軸方向に対して風向角度βを有して壁面１３ｂからしだいに離間する斜め下方向に吹き下ろされる。なお、風向角度αと風向角度βとは、共に約３０度に設定されている。なお、風向角度αおよびβは、約１０度以上約４０度以下の範囲で変更可能に構成されている。したがって、気流Ｐ１およびＰ２は、間仕切り壁１３の延びるＹ−Ｚ平面に対して矢印Ｘ１方向および矢印Ｘ２方向に対称な気流を形成可能に構成されている。
【００２６】
これにより、左室１１においては、左室送風部２０と左室冷却部３０とを運転して時計回りに循環する循環流Ｇ１が形成される。右室１２においては、右室送風部４０と右室冷却部５０とを運転して反時計回りに循環する循環流Ｇ２が形成される。なお、循環流Ｇ１には気流Ｐ１が含まれ、循環流Ｇ２には気流Ｐ２が含まれる。そして、開口１４においては、左室送風部２０からの気流Ｐ１と右室送風部４０からの気流Ｐ２とによって挟み込まれた空間Ｑ（開口１４における空気の淀んだ領域）が形成される。換言すると、空間Ｑは、二重のエアカーテン気流の内側に設けられた熱遮断領域に相当する。また、空間Ｑは、開口１４の上縁部１５から床面１０ａ（床面１１ａおよび１２ａ）に向かって末広がり状に形成されている。したがって、作業者（図示せず）が空間Ｑを介して左室１１と右室１２との間を往来したとしても、左室１１と右室１２とは、庫内温度（温度Ｔ１およびＴ２）を大きく崩すことなく維持されている。
【００２７】
ここで、第１実施形態では、図３に示すように、左室送風部２０の近傍には、一対の遮風部材２５が取り付けられている。また、右室送風部４０の近傍には、一対の遮風部材４５（破線で示す）が取り付けられている。なお、左室送風部２０と一対の遮風部材２５とによって、特許請求の範囲の「エアカーテン装置」が構成されるとともに、右室送風部４０と一対の遮風部材４５とによって、特許請求の範囲の「エアカーテン装置」が構成されている。以下、遮風部材２５および４５の構造および役割について説明する。なお、遮風部材２５および４５は、互いに同一の構造を有している。
【００２８】
（遮風部材の構造）
図３に示すように、遮風部材２５は、平板状を有しており、Ｚ軸方向（垂直方向）に延びている。一方の遮風部材２５は、上端部２５ａが左室送風部２０のＹ１側の下端部２１ａ近傍に配置された状態で、開口１４のＹ１側の一方側端部１４ａ近傍から壁面１３ａに対して垂直な矢印Ｘ１方向に延びている。また、他方の遮風部材２５は、上端部２５ａが左室送風部２０のＹ２側の下端部２１ｂ近傍に配置された状態で、開口１４のＹ２側の他方側端部１４ｂ近傍から壁面１３ａに対して垂直な矢印Ｘ１方向に延びている。これにより、左室１１においては、空間Ｑにおける左室送風部２０の吹出口２０ｂ（図１参照）から下方の領域Ｑ１が、一対の遮風部材２５によって挟み込まれている。なお、図３では、開口１４まわりの構造を図示するために、紙面奥側（Ｙ２側）に存在する壁部１０ｂを図示する一方、紙面手前側（Ｙ１側）に存在する壁部の図示を便宜的に省略している。
【００２９】
同様の構成が右室１２（Ｘ２側）にも適用されている。すなわち、右室送風部４０には、平板状を有してＺ軸方向に延びる一対の遮風部材４５が取り付けられている。一方の遮風部材４５は、上端部４５ａが右室送風部４０のＹ１側の下端部４１ａ近傍に配置された状態で、開口１４のＹ１側の一方側端部１４ａ近傍から壁面１３ｂに対して垂直な矢印Ｘ２方向に沿って延びている。また、他方の遮風部材４５は、上端部４５ａが右室送風部４０のＹ２側の下端部４１ｂ近傍に配置された状態で、開口１４のＹ２側の他方側端部１４ｂ近傍から壁面１３ｂに対して垂直な矢印Ｘ２方向に延びている。これにより、右室１２においては、空間Ｑにおける右室送風部４０の吹出口４０ｂ（図１参照）から下方の領域Ｑ２が、一対の遮風部材４５によって挟み込まれている。
【００３０】
ここで、循環流Ｇ１の流れを説明する。図１に示すように、左室冷却部３０により冷やされて吹出口３２から吹き出される冷気が天井部の下面１１ｃを矢印Ｘ２方向に伝って左室送風部２０の吸込口２０ａに吸い込まれる。冷気は吹出口２０ｂから気流Ｐ１となって斜め下方向に吹き出されて床面１１ａに到達した後、向きを変えて床面１１ａを矢印Ｘ１方向に沿って流通され、Ｘ１側の側壁部近傍を矢印Ｚ１方向に伝って左室冷却部３０の吸込口３１に吸い込まれる。したがって、左室１１には、時計回りに循環する循環流Ｇ１が形成される。また、右室冷却部５０により冷やされて吹出口５２から吹き出される冷気が天井部の下面１２ｃを矢印Ｘ１方向に伝って右室送風部４０の吸込口４０ａに吸い込まれる。冷気は吹出口４０ｂから気流Ｐ２となって斜め下方向に吹き出されて床面１２ａに到達した後、向きを変えて床面１２ａを矢印Ｘ２方向に沿って流通され、Ｘ２側の側壁部近傍を矢印Ｚ１方向に伝って右室冷却部５０の吸込口５１に吸い込まれる。したがって、右室１２には、反時計回りに循環する循環流Ｇ２が形成される。
【００３１】
そして、図３に示すように、一対の遮風部材２５が左室送風部２０の下方に設けられていることによって、左室送風部２０の運転中に、左室１１における開口１４よりもＹ１側およびＹ２側の空気が領域Ｑ１（空間Ｑ）に巻き込まれないように構成されている。また、一対の遮風部材４５が右室送風部４０の下方に設けられていることによって、右室送風部４０の運転中に、右室１２における開口１４よりもＹ１側およびＹ２側の空気が領域Ｑ２（空間Ｑ）に巻き込まれないように構成されている。したがって、左室送風部２０および右室送風部４０が作動している状態において、開口１４に左室１１と右室１２との熱遮断を行う領域となる空間Ｑが確実に形成されるように構成されている。
【００３２】
以下に、遮風部材２５および４５を冷蔵室１０内に設けた場合の利点について説明する。
【００３３】
まず、比較例（従来例）として、図４に示すように、遮風部材２５および４５（図３参照）が冷蔵室１０内に設けられていない状態で左室送風部２０および右室送風部４０が運転されたとする。この場合、開口１４の左室１１側に気流Ｐ１が発生するとともに、開口１４の右室１２側に気流Ｐ２が発生する。そして、間仕切り壁１３の壁面１３ａと気流Ｐ１との間には隙間Ｓ１（ハッチング領域）が生じるとともに、間仕切り壁１３の壁面１３ｂと気流Ｐ２との間には隙間Ｓ２（ハッチング領域）が生じてしまう。また、隙間Ｓ１およびＳ２は、それぞれ、開口１４のＹ１側およびＹ２側の両側方に生じる。このため、開口１４に二重のエアカーテン気流が形成されていても、左室１１の天井部付近に滞留する冷えが少ない空気が隙間Ｓ１を介して気流Ｐ１に巻き込まれるとともに、右室１２の天井部付近に滞留する冷えが少ない空気が隙間Ｓ２を介して気流Ｐ２に巻き込まれて、空間Ｑに流入（侵入）してしまう。そして、二重のエアカーテン気流の内側の空間Ｑにこれらの冷えが少ない空気が流入する分、左室１１においては開口１４の床面１１ａ近傍における壁面１３ａと気流Ｐ１との隙間Ｓ１の部分から、右室１２の相対的に温度（温度Ｔ２）の低い空気が漏れ出てしまう。また、右室１２においては開口１４の床面１２ａ近傍における壁面１３ｂと気流Ｐ２との隙間Ｓ２の部分から、左室１１の相対的に温度（温度Ｔ１）の高い空気が漏れ出てしまう。したがって、二重のエアカーテン気流による空間Ｑが存在するにもかかわらず、左室１１と右室１２との間で空気が入れ替わる現象が起きてしまう。
【００３４】
これに対して、第１実施形態では、図３に示すように、開口１４のＹ１側およびＹ２側に一対の遮風部材２５および遮風部材４５がそれぞれ設けられていることによって、左室１１と右室１２とを隔てる間仕切り壁１３の一部が開放された開口１４を気流Ｐ１と気流Ｐ２との二重のエアカーテン気流を形成して熱的に分割（熱遮断）する場合においても、遮風部材２５および４５により、間仕切り壁１３と気流Ｐ１との間に左室１１の空気が侵入する隙間Ｓ１（図４参照）が形成されるのが防止され、間仕切り壁１３と気流Ｐ２との間に右室１２の空気が侵入する隙間Ｓ２（図４参照）が形成されるのが防止される。すなわち、遮風部材２５および４５を設けない場合に生じる隙間Ｓ１およびＳ２（図４参照）を介して、左室１１の空気が二重のエアカーテン気流の内側の空間Ｑ（領域Ｑ１）に侵入するのが抑制され、右室１２の空気が空間Ｑ（領域Ｑ２）に侵入するのが抑制されるように構成されている。したがって、二重のエアカーテン気流による左室１１と右室１２との熱的な分割状態（熱遮断効果）が確実に得られている。
【００３５】
（第１実施形態の効果）
第１実施形態では、以下のような効果を得ることができる。
【００３６】
第１実施形態では、上記のように、左室１１または右室１２の少なくとも一方の空気が、間仕切り壁１３と気流Ｐ１との隙間Ｓ１および間仕切り壁１３と気流Ｐ２との隙間Ｓ２に侵入するのを抑制する遮風部材２５および４５を備える。これにより、隣接配置された左室１１と右室１２とを隔てる間仕切り壁１３の一部が開放された開口１４を気流Ｐ１と気流Ｐ２との二重のエアカーテン気流を形成して熱的に分割（熱遮断）する場合においても、遮風部材２５および４５により、間仕切り壁１３と気流Ｐ１の間に左室１１の空気が侵入する隙間Ｓ１および間仕切り壁１３と気流Ｐ２の間に右室１２の空気が侵入する隙間Ｓ２が形成されるのを防止することができる。すなわち、遮風部材２５および４５を設けない場合に生じる上記の隙間Ｓ１およびＳ２を介して、左室１１または右室１２の空気が二重のエアカーテン気流の内側の空間Ｑに侵入するのを抑制することができる。この結果、二重のエアカーテン気流による左室１１と右室１２との熱的な分割状態（熱遮断効果）を十分に得ることができる。また、左室１１と右室１２との熱遮断効果が確実に得られるので、庫内温度（温度Ｔ１およびＴ２）が大きく崩されることがない分、冷蔵倉庫１００における左室冷却部３０および右室冷却部５０の消費電力を低減させることができる。
【００３７】
また、第１実施形態では、左室送風部２０の開口１４の一方側端部１４ａ近傍および他方側端部１４ｂ近傍の各々に対応した位置から気流Ｐ１に向かって延びるとともに下方に向かって延びるように遮風部材２５を構成する。また、右室送風部４０の開口１４の一方側端部１４ａ近傍および他方側端部１４ｂ近傍の各々に対応した位置から気流Ｐ２に向かって延びるとともに下方に向かって延びるように遮風部材４５を構成する。これにより、開口１４の一方側端部１４ａ近傍および他方側端部１４ｂ近傍の各々に対応した位置における左室送風部２０および右室送風部４０の近傍を起点として下方に延びる遮風部材２５および４５を配置することができる。したがって、左室送風部２０および右室送風部４０の近傍において、間仕切り壁１３と、左室送風部２０から吹き出される気流Ｐ１および右室送風部４０から吹き出される気流Ｐ２との間に、左室１１または右室１２の上部領域に滞留する冷えの少ない空気が侵入するような隙間Ｓ１およびＳ２が形成されるのを確実に防止することができる。
【００３８】
（第２実施形態）
次に、図５を参照して、第２実施形態について説明する。この第２実施形態では、完全な平板形状を有するように遮風部材２５および４５を構成した上記第１実施形態と異なり、一部（上端部２６ａ（４６ａ））の領域を開口１４の内側に折り曲げて遮風部材２６（４６）を構成した例について説明する。なお、図中において、上記第１実施形態と同様の構成には、第１実施形態と同じ符号を付して図示している。
【００３９】
第２実施形態による冷蔵倉庫２００では、図５に示すように、左室送風部２０の近傍に一対の遮風部材２６が取り付けられるとともに、右室送風部４０の近傍に一対の遮風部材４６（破線で示す）が取り付けられている。
【００４０】
ここで、第２実施形態では、一対の遮風部材２６は、左室送風部２０の気流Ｐ１を吹き出す吹出口２０ｂのＹ１側の端部２１ｃおよびＹ２側の端部２１ｄよりも内側の下方に配置された上端部２６ａを含む。そして、各々の遮風部材２６は、上端部２６ａから開口１４の側方に向かって斜め下方に傾斜して延びる傾斜部分２６ｂと、傾斜部分２６ｂの下端部２６ｃから下方に向かって延びる側方部分２６ｄとによって構成されている。これにより、気流Ｐ１の一部の気流Ｐ３（破線で示す）が、傾斜部分２６ｂおよび側方部分２６ｄの外側面２６ｅを伝って流下される。また、右室１２に設けられた遮風部材４６の構造についても、左室１１に設けられた遮風部材２６と同様に構成されている。
【００４１】
すなわち、一対の遮風部材４６は、右室送風部４０の気流Ｐ２を吹き出す吹出口４０ｂのＹ１側の端部４１ｃおよびＹ２側の端部４１ｄよりも内側の下方に配置された上端部４６ａを含む。そして、各々の遮風部材４６は、上端部４６ａから開口１４の側方に向かって斜め下方に傾斜して延びる傾斜部分４６ｂと、傾斜部分４６ｂの下端部４６ｃから下方に向かって延びる側方部分４６ｄとによって構成されている。これにより、気流Ｐ２の一部の気流Ｐ４（破線で示す）が、傾斜部分２６ｂおよび側方部分２６ｄの外側面２６ｅを伝って流下される。なお、第２実施形態による冷蔵倉庫２００のその他の構成は、上記第１実施形態と同様である。
【００４２】
（第２実施形態の効果）
第２実施形態では、上記のように、左室送風部２０の気流Ｐ１を吹き出す吹出口２０ｂのＹ１側の端部２１ｃおよびＹ２側の端部２１ｄよりも内側の下方に配置された上端部２６ａをそれぞれ含むように一対の遮風部材２６を構成する。また、右室送風部４０の気流Ｐ２を吹き出す吹出口４０ｂのＹ１側の端部４１ｃおよびＹ２側の端部４１ｄよりも内側の下方の少なくとも一方に配置された上端部４６ａをそれぞれ含むように一対の遮風部材４６を構成する。これにより、気流Ｐ１およびＰ２の一部の気流Ｐ３を、遮風部材２６および４６を隔てて二重のエアカーテン気流の内側の空間Ｑとは反対の外側の空間領域にも導くことができる。したがって、二重のエアカーテン気流の内側の空間Ｑを、気流Ｐ１およびＰ２によって包囲することができるので、遮風部材２６および４６の各々サイズを小型化することができる。
【００４３】
また、第２実施形態では、上端部２６ａから開口１４の側方に向かって斜め下方に傾斜して延びる傾斜部分２６ｂと、傾斜部分２６ｂの下端部２６ｃから下方に向かって延びる側方部分２６ｄとを含み、気流Ｐ１の一部の気流Ｐ３が外側面２６ｅを伝って流下されるように遮風部材２６を構成する。また、上端部４６ａから開口１４の側方に向かって斜め下方に傾斜して延びる傾斜部分４６ｂと、傾斜部分４６ｂの下端部４６ｃから下方に向かって延びる側方部分４６ｄとを含み、気流Ｐ２の一部の気流Ｐ４が外側面４６ｅを伝って流下されるように遮風部材２６を構成する。これにより、気流Ｐ１の一部の気流Ｐ３を外側面２６ｅに沿わせて左室１１の床面１１ａ近傍まで導くことができる。また、気流Ｐ２の一部の気流Ｐ４を外側面４６ｅに沿わせて右室１２の床面１２ａ近傍まで導くことができる。したがって、二重のエアカーテン気流の内側の空間Ｑを、気流Ｐ１およびＰ２によって、より確実に包囲することができる。なお、第２実施形態のその他の効果は、上記第１実施形態と同様である。
【００４４】
（第３実施形態）
次に、図６〜図８を参照して、第３実施形態について説明する。この第３実施形態では、上記第１実施形態と異なり、遮風部分が巻き上げ式になるように遮風部材２７および４７を構成した例について説明する。なお、図中において、上記第１実施形態と同様の構成には、第１実施形態と同じ符号を付して図示している。
【００４５】
第３実施形態による冷蔵倉庫３００では、図６に示すように、電動式の開閉扉６０と、電動式の遮風部材２７および４７と、接近センサ８３および８４とが設けられている。また、図７に示すように、開閉扉６０は、電動モータを含む駆動機構（図示せず）とともに間仕切り壁１３の内部に収納されており、矢印Ｙ１方向または矢印Ｙ２方向に往復移動（スライド）することによって開口１４を開閉する機能を有する。なお、接近センサ８３および８４は、特許請求の範囲の「接近状態検出部」の一例である。
【００４６】
また、遮風部材２７および４７は、遮風部分２７ｂおよび４７ｂが上方に巻き上げられて本体部２７ａおよび４７ａに収納可能でかつ下方に引き出し可能に構成されている。すなわち、本体部２７ａおよび４７ａには、正逆回転によって遮風部分２７ｂおよび４７ｂを巻き取るとともに引き出すための電動モータを含む駆動機構（図示せず）が内蔵されている。接近センサ８３および８４（二点鎖線で示す）は、床面１１ａおよび１２ａに埋設されており、開口１４への作業者（移動車両（フォークリフトなど）に搭乗した作業者（図示せず）を含む）の接近状態を検出する機能を有する。
【００４７】
そして、図６に示すように、開閉扉６０、遮風部材２７および４７、接近センサ８３および８４は、統括制御部７１に電気的に接続されている。したがって、接近センサ８３および８４のいずれか一方により作業者が開口１４に接近したことが検出された場合、統括制御部７１の指令に基づいて開閉扉６０により開口１４が開かれるように構成されている。また、接近センサ８３および８４のいずれか他方により作業者が開口１４を通過したことが検出された場合、開閉扉６０により開口１４が閉じられるように構成されている。
【００４８】
ここで、第３実施形態では、図７に示すように、遮風部材２７および４７は、開閉扉６０により開口１４が閉じられたことに基づいて遮風部分２７ｂおよび４７ｂが上方に巻き上げられるように構成されている。また、図８に示すように、開閉扉６０（図７参照）により開口１４が開かれたことに基づいて遮風部分２７ｂおよび４７ｂが本体部２７ａおよび４７ａから下方に自動的に引き出されるように構成されている。また、接近センサ８３および８４の検出結果に基づいて、作業者が開口１４を通過するよりも前のタイミングで左室送風部２０および右室送風部４０が運転されるとともに遮風部分２７ｂおよび４７ｂが下方に引き出されるように構成されている。なお、第３実施形態による冷蔵倉庫３００のその他の構成は、上記第１実施形態と同様である。
【００４９】
（第３実施形態の効果）
第３実施形態では、上記のように、開口１４は、開閉扉６０により開閉可能に構成されており、遮風部材２７および４７は、遮風部分２７ｂおよび４７ｂが上方に巻き上げ可能でかつ下方に引き出し可能に構成されている。そして、開閉扉６０により開口１４が閉じられたことに基づいて遮風部分２７ｂおよび４７ｂが上方に巻き上げられるとともに、開閉扉６０により開口１４が開かれたことに基づいて遮風部分２７ｂおよび４７ｂが下方に引き出されるように遮風部材２７および４７を構成する。これにより、開口１４に気流Ｐ１と気流Ｐ２との二重のエアカーテン気流を発生させるのは開閉扉６０により開口１４が開かれた場合のみであるので、このような場合において、遮風部材２７および４７の下方に引き出された遮風部分２７ｂおよび４７ｂにより、一時的に発生させる二重のエアカーテン気流の熱遮断効果を効果的に得ることができる。また、開口１４が開閉扉６０により閉じられている場合（二重のエアカーテン気流が必要ない場合）には遮風部分２７ｂおよび４７ｂが上方に巻き上げられている分、遮風部材２７および４７の省スペース化（小型化）を容易に図ることができる。
【００５０】
また、第３実施形態では、接近センサ８３および８４の検出結果に基づいて、作業者が開口１４を通過する前に、左室送風部２０および右室送風部４０を運転するとともに遮風部材２７および４７の遮風部分２７ｂおよび４７ｂを下方に引き出すように構成する。これにより、作業者の通過の必要性に伴って開閉扉６０により開口１４が開かれるタイミングに先だって、熱遮断効果を得るための二重のエアカーテン気流を迅速かつ適切に形成することができる。したがって、開口１４が開かれて作業者が開口１４を通過する時点においても、開口１４の開閉に伴う外乱要素の影響を受けることなく、二重のエアカーテン気流による左室１１と右室１２との熱的な分割状態（熱遮断効果）を確実に得ることができる。なお、第３実施形態のその他の効果は、上記第１実施形態と同様である。
【００５１】
（第４実施形態）
次に、図１、図６、図７、図９および図１０を参照して、第４実施形態について説明する。この第４実施形態では、開閉扉６０の故障時に開口１４を閉じるシャッタ部材６５を設けた例について説明する。なお、図中において、上記第３実施形態と同様の構成には、第３実施形態と同じ符号を付して図示している。なお、シャッタ部材６５は、特許請求の範囲の「異常時開口遮断部材」の一例である。
【００５２】
第４実施形態による冷蔵倉庫４００では、図９に示すように、上記第３実施形態による冷蔵倉庫３００における制御構成（図６参照）に対して、異常状態検出部８５と、シャッタ部材６５とがさらに設けられている。シャッタ部材６５は、電動モータを含む駆動機構（図示せず）とともに開口１４の上縁部１５（図１参照）に取り付けられている。そして、電動モータの正逆回転によってシャッタ部６５ａが矢印Ｚ１方向に巻き上げられるとともに矢印Ｚ２方向に引き出されるように構成されている。
【００５３】
また、異常状態検出部８５は、左室送風部２０、右室送風部４０および開閉扉６０の異常状態を検出する機能を有する。また、異常状態検出部８５は、左室冷却部３０および右室冷却部５０の異常を検出する機能も有する。なお、ここで述べる「異常状態」とは、たとえば、左室送風部２０、右室送風部４０および開閉扉６０の駆動機構が故障して各々が所定の機能を有しない状態に陥ったり、各機器への電力供給自体が停止したりした状態（停電状態）などを含む。また、異常状態検出部８５は、異常状態を検出するための機器に応じて、電流計、温度計または風速計など（図示せず）が用いられる。図９では、これらをまとめて１つの異常状態検出部８５として図示している。また、シャッタ部材６５は、開閉扉６０（図７参照）と平行に設けられており、非作動時は、上方に巻き上げられている。そして、異常状態検出部８５およびシャッタ部材６５は、統括制御部７１に電気的に接続されている。また、異常状態検出部８５の検出結果は、統括制御部７１に出力されることに加えて、冷蔵倉庫４００を遠方で管理する管理サーバ（図示せず）にも送信されるように構成されている。なお、異常状態検出部８５を含むコントローラ機器７０は、通常電源に加えて停電時に作動するバックアップ電源部８６によってその機能が維持されるように構成されている。
【００５４】
ここで、第４実施形態では、図１０に示すように、異常状態検出部８５（図９参照）により左室送風部２０、右室送風部４０または開閉扉６０の少なくともいずれかの異常状態（故障）が検出された場合に、シャッタ部材６５により開口１４が遮断される（閉じられる）とともに、遮風部材２７の遮風部分２７ｂ、および、遮風部材４７の遮風部分４７ｂが、それぞれ、下方に引き出されるように構成されている。また、停電が発生した場合には、シャッタ部材６５、遮風部材２７および４７は、バックアップ電源部８６（図９参照）からの電力供給によって作動される。したがって、左室送風部２０、右室送風部４０または開閉扉６０の少なくともいずれかに異常（故障）が発生して開口１４に二重のエアカーテン気流を形成することが不可能になった場合であっても、シャッタ部材６５を利用して開口１４を遮断し、かつ、遮風部材２７および４７の下方に引き出された遮風部分２７ｂおよび４７ｂによって開口１４まわりを取り囲むことが可能に構成されている。なお、第４実施形態による冷蔵倉庫４００のその他の構成は、上記第１実施形態と同様である。
【００５５】
（第４実施形態の効果）
第４実施形態では、上記のように、異常状態検出部８５により左室送風部２０および右室送風部４０の少なくとも一方の異常状態（故障）が検出された場合に、シャッタ部材６５により開口１４を遮断するとともに、遮風部材２７の遮風部分２７ｂおよび遮風部材４７の遮風部分４７ｂが下方に引き出されるように構成する。これにより、左室送風部２０または右室送風部４０の少なくとも一方に異常状態（故障）が発生して開口１４の部分に二重のエアカーテン気流を形成することが不可能な場合であっても、開閉扉６０の代替部材となるシャッタ部材６５を利用して開口１４を遮断し、かつ、遮風部材２７および４７の下方に引き出された遮風部分２７ｂおよび４７ｂによって開口１４まわりを取り囲むことができる。この結果、左室１１と右室１２との熱的な分割（熱遮断）状態を確実に維持することができる。
【００５６】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００５７】
たとえば、上記第１〜第４実施形態では、本発明の「エアカーテン装置」を冷蔵倉庫１００〜４００内を左室１１および右室１２に分割する間仕切り壁１３の開口１４の部分に適用したが、本発明はこれに限られない。たとえば、本発明の「エアカーテン装置」を、冷蔵倉庫における庫内と庫外との出入口に設置される二重のエアカーテン気流や、店舗施設における屋内と屋外との出入口に設置される二重のエアカーテン気流や、開閉扉により開閉可能な冷凍車おける庫内と庫外との二重のエアカーテン気流における熱遮断効果を確実に得るための手段として採用してもよい。
【００５８】
また、上記第３実施形態では、遮風部分２７ｂ（４７ｂ）が本体部２７ａ（４７ａ）から垂直下方に引き出されるように遮風部材２７（４７）を構成したが、本発明はこれに限られない。たとえば、上記第２実施形態で例示したように、本体部２７ａが左室送風部２０の吹出口２０ｂのＹ１側の端部２１ｃおよびＹ２側の端部２１ｄよりも内側の下方に配置された状態で、外側に斜めに傾斜しながら引き出されて、その後、垂直下方に引き出されるように遮風部材２７を構成してもよい。
【００５９】
また、上記第１〜第４実施形態では、開口１４のＹ１側およびＹ２側の両側に遮風部材２５（２６、２７、４５、４６、４７）を設けたが、本発明はこれに限られない。たとえば、開口１４が間仕切り壁１３のＹ軸方向の端部（間仕切り壁１３が冷蔵室１０のＸ軸方向に延びる壁部１０ｂが突き当てられた位置）に設けられている場合には、壁部１０ｂとは反対側（図３におけるＹ１側）に、単一の遮風部材２５（２６、２７）を設けるように構成してもよい。
【００６０】
また、上記第１〜第４実施形態では、間仕切り壁１３に単一の開口１４が設けられた冷蔵室１０に対して本発明を適用したが、本発明はこれに限られない。たとえば、仕切り壁１３に複数個の開口１４が設けられている場合には、各々の開口１４に対して本発明の「エアカーテン装置」を設けるように構成してもよい。
【００６１】
また、上記第３実施形態では、接近センサ８３および８４を床面１１ａおよび１２ａに埋設した例について示したが、本発明はこれに限られない。たとえば、冷蔵室１０（左室１１および右室１２）の天井部分に赤外線センサなどからなる「人感センサ」を設けてもよいし、「監視カメラ」を設けてもよい。なお、この「人感センサ」および「監視カメラ」は、特許請求の範囲の「接近状態検出部」の一例である。
【符号の説明】
【００６２】
１０  冷蔵室
１１  左室（第１領域）
１２  右室（第２領域）
１３  間仕切り壁
１４  開口
１４ａ  一方側端部
１４ｂ  他方側端部
１５  上縁部
２０  左室送風部（第１送風部）
２１ａ、２１ｂ、４１ａ、４１ｂ  下端部
２１ｃ、４１ｃ  端部（吹出口の端部）
２５、２６、２７、４５、４６、４７  遮風部材
２５ａ、２６ａ、４５ａ、４６ａ  上端部
２６ｂ、４６ｂ  傾斜部分
２６ｃ、４６ｃ  下端部
２６ｄ、４６ｄ  側方部分
２６ｅ、４６ｅ  外側面
３０  左室冷却部
４０  右室送風部（第２送風部）
２７ｂ、４７ｂ  遮風部分
５０  右室冷却部
６０  開閉扉
６５  シャッタ部材（異常時開口遮断部材）
７０  コントローラ機器
８３、８４  接近センサ（接近状態検出部）
８５  異常状態検出部
８６  バックアップ電源部
１００、２００、３００、４００  冷蔵倉庫
Ｐ１  気流（第１エアカーテン気流）
Ｐ２  気流（第２エアカーテン気流）
Ｐ３  気流（第１エアカーテン気流の一部の気流）
Ｐ４  気流（第２エアカーテン気流の一部の気流）
Ｑ  空間
Ｓ１、Ｓ２  隙間
Ｔ１、Ｔ２  温度
【図１】
2017215110.tif 000003
【図２】
2017215110.tif 000004
【図３】
2017215110.tif 000005
【図４】
2017215110.tif 000006
【図５】
2017215110.tif 000007
【図６】
2017215110.tif 000008
【図７】
2017215110.tif 000009
【図８】
2017215110.tif 000010
【図９】
2017215110.tif 000011
【図１０】
2017215110.tif 000012